【手続補正書】
【提出日】平成26年1月31日(2014.1.31)
【手続補正１】
【補正対象書類名】特許請求の範囲
【補正対象項目名】請求項１
【補正方法】変更
【補正の内容】
【請求項１】
流体の流量を可変に制御可能な流量制御弁であって、
前記流体が流入する流入口および前記流体が流出する流出口が設けられたケーシングと、
前記ケーシング内の空間を前記流体が流動する流動空間と作動媒体が存する作動空間とに区画する単一のダイヤフラムと、
前記流入口に対向する部分の前記ダイヤフラムに設けられた弁体とを備え、
前記ダイヤフラムが前記作動空間の内圧変化に伴って変位することで前記弁体が移動することにより、前記弁体と前記流入口との間の距離が変化することで前記流入口から前記流動空間に流入する前記流体の流量が調節され、これにより前記流出口から流出する前記流体の流量が可変に制御可能とされた、流量制御弁。
【手続補正２】
【補正対象書類名】明細書
【補正対象項目名】００１６
【補正方法】変更
【補正の内容】
【００１６】
本発明に基づく流量制御弁は、流体の流量を可変に制御可能なものであって、ケーシングと、ダイヤフラムと、弁体とを備えている。上記ケーシングには、上記流体が流入する流入口および上記流体が流出する流出口が設けられている。上記ダイヤフラムは、上記ケーシング内の空間を上記流体が流動する流動空間と作動媒体が存する作動空間とに区画する単一のものからなる。上記弁体は、上記流入口に対向する部分の上記ダイヤフラムに設けられている。本発明に基づく流量制御弁にあっては、上記ダイヤフラムが上記作動空間の内圧変化に伴って変位することで上記弁体が移動することにより、上記弁体と上記流入口との間の距離が変化することで上記流入口から上記流動空間に流入する上記流体の流量が調節され、これにより上記流出口から流出する上記流体の流量が可変に制御可能とされている。
【手続補正３】
【補正対象書類名】明細書
【補正対象項目名】００４１
【補正方法】変更
【補正の内容】
【００４１】
制御部２０は、加圧ポンプ３１および流量制御弁３２を駆動するための制御信号を加圧ポンプ駆動回路３４および流量制御弁駆動回路３５にそれぞれ入力したり、測定結果としての血圧値を表示部２１やメモリ部２２に入力したりする。また、制御部２０は、圧力センサ３３によって検出された圧力値に基づいて被験者の血圧値を取得する血圧情報取得部（不図示）を含んでおり、この血圧情報取得部によって取得された血圧値が、測定結果として上述した表示部２１やメモリ部２２に入力される。なお、血圧計１は、測定結果としての血圧値を外部の機器（たとえばＰＣ（Personal Computer）やプリンタ等）に出力する出力部を別途有していてもよい。出力部としては、たとえばシリアル通信回線や各種の記録媒体への書き込み装置等が利用可能である。
【手続補正４】
【補正対象書類名】明細書
【補正対象項目名】００５４
【補正方法】変更
【補正の内容】
【００５４】
ダイヤフラム１３０は、可撓性の部材からなり、たとえばステンレス合金やリン青銅等からなる金属製フィルムまたはシリコーン樹脂やポリエステル樹脂、ポリエチレンテレフタラート樹脂等からなる樹脂製フィルム等の薄膜にて構成される。一方、弁体１６０は、好適には弾性部材からなり、たとえばシリコーン樹脂等からなる厚膜の部材にて構成される。ここで、弁体１６０は、好ましくはダイヤフラム１３０よりも硬質の部材にて構成される。なお、ダイヤフラム１３０および弁体１６０を同一の樹脂材料にて形成する場合には、これらを一体の部材にて構成することも可能である。
【手続補正５】
【補正対象書類名】明細書
【補正対象項目名】００９４
【補正方法】変更
【補正の内容】
【００９４】
これは、当該構成を採用することにより、弁体１６０が設けられた部分のダイヤフラム１３０の変位量に応じて、弁体１６０が流入口１１１ａの周縁に接触することで弁体１６０が弾性変形して弁体１６０が当該周縁に密着して流入口１１１ａが全閉された状態と、弁体１６０が流入口１１１ａの周縁に非接触となって流入口１１１ａと流動空間１４０とが比較的広い面積をもって連通させられた状態と、これらの間の状態であって弁体１６０が上記周縁に接触しつつも流入口１１１ａが全閉されずに流入口１１１ａと流動空間１４０とが比較的狭い面積をもって連通させられた状態とに精緻に制御可能になるためである。
【手続補正６】
【補正対象書類名】明細書
【補正対象項目名】００９７
【補正方法】変更
【補正の内容】
【００９７】
すなわち、弁体１６０の流入口１１１ａに対向する主面に微小凹凸を設ける構成とした場合には、弁体１６０が設けられた部分のダイヤフラム１３０の変位量に応じて、弁体１６０が流入口１１１ａの周縁に接触することで弁体１６０が弾性変形しこれにより微小凹凸のうちの凸部が圧縮変形して弁体１６０が当該周縁に密着することで流入口１１１ａが全閉された状態と、弁体１６０が流入口１１１ａの周縁に非接触となって流入口１１１ａと流動空間１４０とが比較的広い面積をもって連通させられた状態と、これらの間の状態であって当該微小凹凸のうちの凸部が上記周縁に接触しつつも流入口１１１ａが全閉されずに流入口１１１ａと流動空間１４０とが比較的狭い面積をもって連通させられた状態とに精緻に制御することが可能になるため、より容易に精緻な流量制御が行なえることになる。
【手続補正７】
【補正対象書類名】明細書
【補正対象項目名】０１０６
【補正方法】変更
【補正の内容】
【０１０６】
より詳細には、図９に示すように、制御部２０は、カフ圧の減圧速度が予め定めた目標速度に合致しているか否かを圧力センサ３３によって検出されたカフ圧の変化に基づいて判断する（ステップＳ１０５）。制御部２０は、カフ圧の減圧速度が予め定めた目標速度に合致していないと判断した場合（ステップＳ１０５においてＮＯの場合）に、減圧速度が目標速度よりも大きいか否かを判断する（ステップＳ１０６）。制御部２０は、減圧速度が目標速度よりも大きいと判断した場合（ステップＳ１０６においてＹＥＳの場合）に、流量制御弁３２Ａに対する駆動電圧を僅かに上げて弁体１６０を閉方向に移動させて減圧速度を遅め（ステップＳ１０７）、減圧速度が目標速度よりも小さいと判断した場合（ステップＳ１０６においてＮＯの場合）に、流量制御弁３２Ａに対する駆動電圧を僅かに下げて弁体１６０を開方向に移動させて減圧速度を速め（ステップＳ１０８）、その後いずれの場合にも引き続き圧縮空気の排出の流量制御を行なう（ステップＳ１０５に戻る）。
【手続補正８】
【補正対象書類名】明細書
【補正対象項目名】０１２１
【補正方法】変更
【補正の内容】
【０１２１】
より詳細には、図１４に示すように、制御部２０は、カフ圧の加圧速度が予め定めた目標速度に合致しているか否かを圧力センサ３３によって検出されたカフ圧の変化に基づいて判断する（ステップＳ２０５）。制御部２０は、カフ圧の加圧速度が予め定めた目標速度に合致していないと判断した場合（ステップＳ２０５においてＮＯの場合）に、加圧速度が目標速度よりも小さいか否かを判断する（ステップＳ２０６）。制御部２０は、加圧速度が目標速度よりも小さいと判断した場合（ステップＳ２０６においてＹＥＳの場合）に、流量制御弁３２Ａに対する駆動電圧を僅かに上げて弁体１６０を閉方向に移動させて加圧速度を速め（ステップＳ２０７）、加圧速度が目標速度よりも大きいと判断した場合（ステップＳ２０６においてＮＯの場合）に、流量制御弁３２Ａに対する駆動電圧を僅かに下げて弁体１６０を開方向に移動させて加圧速度を遅め（ステップＳ２０８）、その後いずれの場合にも引き続き圧縮空気の排出の流量制御を行なう（ステップＳ２０５に戻る）。
【手続補正９】
【補正対象書類名】明細書
【補正対象項目名】０１４８
【補正方法】変更
【補正の内容】
【０１４８】
その際、図２１（Ａ）に示すように、ポンピング空間３５０が膨張された状態においては、ポンピング空間３５０に陰圧が生じ、これに伴って第１弁体３３０の逆止弁部３３１が開放されるとともに第２弁体３４０の逆止弁部３４１が閉塞されることになる。これにより、作動媒体としての空気が吸入口３１２ａから連通路３５１を経由してポンピング空間３５０に吸入される。